(57)【要約】【課題】消費電力を低減することができる中継装置、通信システム、通信方法、及び、プログラムを提供する。【解決手段】インターネット３００とＬＴＥ通信によって接続されるモバイルルータ１００であって、端末装置２００とモバイルルータ１００との間の通信量を監視する通信量監視部１０３Ｂと、モバイルルータ１００におけるＵＥカテゴリを選択する通信制御部１０３Ａと、を備え、一定時間当たりの通信量が所定の閾値以上である場合に、通信制御部１０３Ａはモバイルルータ１００におけるＵＥカテゴリとして所定のレベルよりも高いＵＥカテゴリを選択し、一定時間当たりの通信量が所定の閾値未満である場合に、通信制御部１０３Ａはモバイルルータ１００におけるＵＥカテゴリとして所定のレベルよりも低いＵＥカテゴリを選択する。【選択図】図１
2020136718.tif 000002
【特許請求の範囲】
【請求項１】
インターネットとＬＴＥ通信によって接続される中継装置であって、
端末装置と前記中継装置との間の通信量を監視する通信量監視部と、
前記中継装置におけるＵＥカテゴリを選択する選択部と、
を備え、
前記通信量監視部によって監視された一定時間当たりの前記通信量が所定の閾値以上である場合に、前記選択部は前記中継装置における前記ＵＥカテゴリとして所定のレベルよりも高いＵＥカテゴリを選択し、
前記通信量監視部によって監視された前記一定時間当たりの通信量が所定の閾値未満である場合に、前記選択部は前記中継装置における前記ＵＥカテゴリとして前記所定のレベルよりも低いＵＥカテゴリを選択する、中継装置。
【請求項２】
前記通信量監視部によって監視された前記一定時間当たりの通信量が所定の閾値以上である場合に、前記選択部は、前記中継装置の現在のＵＥカテゴリのレベルを確認し、前記現在のＵＥカテゴリが前記所定のレベル以下である場合、前記選択部は前記中継装置における前記ＵＥカテゴリとして所定のレベルよりも高いＵＥカテゴリを選択し、
前記通信量監視部によって監視された前記一定時間当たりの通信量が所定の閾値未満である場合に、前記中継装置の前記現在のＵＥカテゴリのレベルを確認し、前記現在のＵＥカテゴリが前記所定のレベルより大きい場合、前記選択部は前記中継装置における前記ＵＥカテゴリとして前記所定のレベルよりも低いＵＥカテゴリを選択する、請求項１に記載の中継装置。
【請求項３】
インターネットとＬＴＥ通信によって接続される中継装置と、前記中継装置と無線通信可能に接続された端末装置とを備える通信システムであって、
前記中継装置は、
端末装置と前記中継装置との間の通信量を監視する通信量監視部と、
前記中継装置におけるＵＥカテゴリを選択する選択部と、
を備え、
前記通信量監視部によって監視された一定時間当たりの前記通信量が所定の閾値以上である場合に、前記選択部は前記中継装置における前記ＵＥカテゴリとして所定のレベルよりも高いＵＥカテゴリを選択し、
前記通信量監視部によって監視された前記一定時間当たりの通信量が所定の閾値未満である場合に、前記選択部は前記中継装置における前記ＵＥカテゴリとして前記所定のレベルよりも低いＵＥカテゴリを選択する、通信システム。
【請求項４】
前記通信量監視部によって監視された前記一定時間当たりの通信量が所定の閾値以上である場合に、前記選択部は、前記中継装置の現在のＵＥカテゴリのレベルを確認し、前記現在のＵＥカテゴリが前記所定のレベル以下である場合、前記選択部は前記中継装置における前記ＵＥカテゴリとして所定のレベルよりも高いＵＥカテゴリを選択し、
前記通信量監視部によって監視された前記一定時間当たりの通信量が所定の閾値未満である場合に、前記中継装置の前記現在のＵＥカテゴリのレベルを確認し、前記現在のＵＥカテゴリが前記所定のレベルより大きい場合、前記選択部は前記中継装置における前記ＵＥカテゴリとして前記所定のレベルよりも低いＵＥカテゴリを選択する、請求項３に記載の通信システム。
【請求項５】
インターネットとＬＴＥ通信によって接続される中継装置が、
端末装置と前記中継装置との間の通信量を監視し、
監視した一定時間当たりの前記通信量が所定の閾値以上である場合に、前記中継装置におけるＵＥカテゴリとして所定のレベルよりも高いＵＥカテゴリを選択し、
監視した前記一定時間当たりの通信量が所定の閾値未満である場合に、前記中継装置における前記ＵＥカテゴリとして前記所定のレベルよりも低いＵＥカテゴリを選択する、通信方法。
【請求項６】
監視した前記一定時間当たりの通信量が所定の閾値以上である場合に、前記中継装置の現在のＵＥカテゴリのレベルを確認し、前記現在のＵＥカテゴリが前記所定のレベル以下である場合、前記中継装置における前記ＵＥカテゴリとして所定のレベルよりも高いＵＥカテゴリを選択し、
監視した前記一定時間当たりの通信量が所定の閾値未満である場合に、前記中継装置の前記現在のＵＥカテゴリのレベルを確認し、前記現在のＵＥカテゴリが前記所定のレベルより大きい場合、前記中継装置における前記ＵＥカテゴリとして前記所定のレベルよりも低いＵＥカテゴリを選択する、請求項５に記載の通信方法。
【請求項７】
インターネットとＬＴＥ通信によって接続される中継装置に、
端末装置と前記中継装置との間の通信量を監視する処理と、
前記中継装置におけるＵＥカテゴリを選択する処理と、
を実行させ、
前記ＵＥカテゴリは、
監視した一定時間当たりの前記通信量が所定の閾値以上である場合、前記中継装置における前記ＵＥカテゴリとして所定のレベルよりも高いＵＥカテゴリとなるように選択され、
監視した前記一定時間当たりの通信量が所定の閾値未満である場合に、前記中継装置における前記ＵＥカテゴリとして前記所定のレベルよりも低いＵＥカテゴリとなるように選択される、プログラム。
【請求項８】
前記ＵＥカテゴリを選択する処理において、
監視した前記一定時間当たりの通信量が所定の閾値以上である場合に、前記中継装置の現在のＵＥカテゴリのレベルを確認し、前記現在のＵＥカテゴリが前記所定のレベル以下である場合、前記中継装置における前記ＵＥカテゴリとして所定のレベルよりも高いＵＥカテゴリを選択し、
監視した前記一定時間当たりの通信量が所定の閾値未満である場合に、前記中継装置の前記現在のＵＥカテゴリのレベルを確認し、前記現在のＵＥカテゴリが前記所定のレベルより大きい場合、前記中継装置における前記ＵＥカテゴリとして前記所定のレベルよりも低いＵＥカテゴリを選択する、請求項７に記載のプログラム。
【発明の詳細な説明】
【技術分野】
【０００１】
本発明は、中継装置、通信システム、通信方法、及び、プログラムに関する。
【背景技術】
【０００２】
広域通信網（ＷＡＮ；Ｗｉｄｅ  Ａｒｅａ  Ｎｅｔｗｏｒｋ）において用いられるＬＴＥ（Ｌｏｎｇ  Ｔｅｒｍ  Ｅｖｏｌｕｔｉｏｎ）通信は、セルラー通信技術の使用を策定している３ＧＰＰ（３ｒｄ  Ｐａｒｔｎｅｒｓｈｉｐ  Ｐｒｏｊｅｃｔ）によって規定されている。具体的には、例えば、図４に示すＵＥ（Ｕｓｅｒ  Ｅｑｕｉｐｍｅｎｔ）カテゴリによって、ＬＴＥ通信の通信速度が規定されている。ＵＥカテゴリが高いほど、通信速度が高い。
【０００３】
そのため、近年の高速データ通信の要求により、モバイルルータ等の中継装置では、より高いＵＥカテゴリが選択される。しかし、ＵＥカテゴリが高いほど、中継装置の消費電力が大きくなってしまう。そのため、バッテリーが搭載された中継装置では、通信可能時間が短くなってしまうという問題がある。
【０００４】
また、メールやブラウザによるホームページへのアクセス等、扱うデータ量が少ない通信であっても、中継装置において選択されているＵＥカテゴリが高いと消費電力が大きくなり、通信可能時間が短くなってしまうという問題がある。
【０００５】
特許文献１では、モバイルルータ等の中継装置とユーザの端末装置との間のＬＡＮ（Ｌｏｃａｌ  Ａｒｅａ  Ｎｅｔｗｏｒｋ）において、中継装置と端末装置との間で送受信されたデータ量（通信量）が規定の通信量を超えた場合に、無線ＬＡＮ通信からＢｌｕｅｔｏｏｔｈ（登録商標）通信に切り替えることが記載されている。
【先行技術文献】
【特許文献】
【０００６】
【特許文献１】特開２０１６−０３２１６０号公報
【発明の概要】
【発明が解決しようとする課題】
【０００７】
しかしながら、特許文献１では、中継装置におけるＵＥカテゴリについては言及されておらず、ＵＥカテゴリが高い場合に中継装置の消費電力が大きくなってしまう問題を解決することはできない。
【０００８】
本発明の目的は、消費電力を低減することができる中継装置、通信システム、通信方法、及び、プログラムを提供することである。
【課題を解決するための手段】
【０００９】
本発明の第１の態様に係る中継装置は、インターネットとＬＴＥ通信によって接続される中継装置であって、端末装置と前記中継装置との間の通信量を監視する通信量監視部と、前記中継装置におけるＵＥカテゴリを選択する選択部と、を備え、前記通信量監視部によって監視された一定時間当たりの前記通信量が所定の閾値以上である場合に、前記選択部は前記中継装置における前記ＵＥカテゴリとして所定のレベルよりも高いＵＥカテゴリを選択し、前記通信量監視部によって監視された前記一定時間当たりの通信量が所定の閾値未満である場合に、前記選択部は前記中継装置における前記ＵＥカテゴリとして前記所定のレベルよりも低いＵＥカテゴリを選択する。
【００１０】
本発明の第２の態様に係る通信システムは、インターネットとＬＴＥ通信によって接続される中継装置と、前記中継装置と無線通信可能に接続された端末装置とを備える通信システムであって、前記中継装置は、端末装置と前記中継装置との間の通信量を監視する通信量監視部と、前記中継装置におけるＵＥカテゴリを選択する選択部と、を備え、前記通信量監視部によって監視された一定時間当たりの前記通信量が所定の閾値以上である場合に、前記選択部は前記中継装置における前記ＵＥカテゴリとして所定のレベルよりも高いＵＥカテゴリを選択し、前記通信量監視部によって監視された前記一定時間当たりの通信量が所定の閾値未満である場合に、前記選択部は前記中継装置における前記ＵＥカテゴリとして前記所定のレベルよりも低いＵＥカテゴリを選択する。
【００１１】
本発明の第３の態様に係る通信方法では、インターネットとＬＴＥ通信によって接続される中継装置が、端末装置と前記中継装置との間の通信量を監視し、監視した一定時間当たりの前記通信量が所定の閾値以上である場合に、前記中継装置における前記ＵＥカテゴリとして所定のレベルよりも高いＵＥカテゴリを選択し、監視した前記一定時間当たりの通信量が所定の閾値未満である場合に、前記中継装置における前記ＵＥカテゴリとして前記所定のレベルよりも低いＵＥカテゴリを選択する。
【００１２】
本発明の第４の態様に係るプログラムは、インターネットとＬＴＥ通信によって接続される中継装置に、端末装置と前記中継装置との間の通信量を監視する処理と、前記中継装置におけるＵＥカテゴリを選択する処理と、を実行させ、前記ＵＥカテゴリは、監視した一定時間当たりの前記通信量が所定の閾値以上である場合、前記中継装置における前記ＵＥカテゴリとして所定のレベルよりも高いＵＥカテゴリとなるように選択され、監視した前記一定時間当たりの通信量が所定の閾値未満である場合に、前記中継装置における前記ＵＥカテゴリとして前記所定のレベルよりも低いＵＥカテゴリとなるように選択される。
【発明の効果】
【００１３】
消費電力を低減することができる中継装置、通信システム、通信方法、及び、プログラムを提供することができる。
【図面の簡単な説明】
【００１４】
【図１】本発明の実施の形態１に係るモバイルルータの一例を示すブロック図である。
【図２】本発明の実施の形態１に係る通信システムの一例を示す図である。
【図３】本発明の実施の形態１に係る通信方法の一例を示すフローチャートである。
【図４】ＬＴＥ通信のＵＥカテゴリの一例を説明する図である。
【図５】本発明の実施の形態１に係る通信方法を説明する図である。
【発明を実施するための形態】
【００１５】
実施の形態１
以下、図面を参照して本発明の実施の形態１について説明する。
図１は、本発明の実施の形態１に係る中継装置としてのモバイルルータ１００の一例を示すブロック図である。また、図２は、実施の形態１に係る通信システム４００の一例を示す図である。図１に示すように、モバイルルータ１００は、アンテナ１０１、ＷＡＮ側無線制御部１０２、システム制御部１０３、及びＬＡＮ側無線制御部１０４を備える。また、図２に示すように、モバイルルータ１００は、インターネット３００とＬＴＥ通信によって接続されている。また、モバイルルータ１００は、Ｗｉ−Ｆｉ通信等によって、ユーザが使用する端末装置２００と無線通信可能に接続されている。
【００１６】
モバイルルータ１００は、図示しない制御部を備える。制御部は、図示しないＣＰＵ（Ｃｅｎｔｒａｌ  Ｐｒｏｃｅｓｓｉｎｇ  Ｕｎｉｔ）及び図示しない記憶部等を備える。そして、ＣＰＵが記憶部に格納されたプログラムを実行することにより、制御部における全ての処理が実現する。具体的には、ＣＰＵが記憶部に格納されたプログラムを実行することにより、制御部は、ＷＡＮ側無線制御部１０２、システム制御部１０３、及びＬＡＮ側無線制御部１０４として機能する。
また、制御部のそれぞれの記憶部に格納されるプログラムは、ＣＰＵに実行されることにより、制御部のそれぞれにおける処理を実現するためのコードを含む。なお、記憶部は、例えば、このプログラムや、制御部における処理に利用される各種情報を格納することができる任意の記憶装置を含んで構成される。記憶装置は、例えば、メモリ等である。
【００１７】
ＷＡＮ側無線制御部１０２は、ＬＴＥ通信部１０２Ａ、ＵＥカテゴリ切り替え部１０２Ｂを備える。
ＬＴＥ通信部１０２Ａは、ＵＥカテゴリ切り替え部１０２Ｂによって切り替えられたＵＥカテゴリに定められた通信量（通信速度）を満たすように、アンテナ１０１を制御する。
ＵＥカテゴリ切り替え部１０２Ｂは、システム制御部１０３の通信制御部１０３Ａ（後述）から入力される制御信号に従ってモバイルルータ１００のＵＥカテゴリを切り替える。
【００１８】
システム制御部１０３は、通信制御部１０３Ａ、通信量監視部１０３Ｂを備える。
通信制御部１０３Ａは、ＬＡＮ側無線制御部１０４のＷｉ−Ｆｉ通信部１０４Ａから入力される、モバイルルータ１００と端末装置２００との間の通信量（通信速度）に関する情報に基づいて、モバイルルータ１００におけるＵＥカテゴリを選択する選択部として機能する。また、通信制御部１０３Ａは、選択したＵＥカテゴリに関する情報を制御信号として、ＷＡＮ側無線制御部１０２のＵＥカテゴリ切り替え部１０２Ｂに入力する。
【００１９】
具体的には、通信制御部１０３Ａは、まず、モバイルルータ１００と端末装置２００との間の一定時間当たりの通信量（通信速度）に関する情報を通信量監視部１０３Ｂに入力する。次に、通信量監視部１０３Ｂは、通信制御部１０３Ａから入力された通信量（通信速度）に関する情報に基づいて、一定時間当たりの通信量が所定の閾値以上か否かを判断する。次に、通信量監視部１０３Ｂは、一定時間当たりの通信量が所定の閾値以上か否かについての情報を通信制御部１０３Ａに入力する。通信制御部１０３Ａは、通信量監視部１０３Ｂから入力された一定時間当たりの通信量が所定の閾値以上か否かについての情報に基づいて、ＵＥカテゴリを選択する。より具体的には、一定時間当たりの通信量が所定の閾値以上である場合に、通信制御部１０３Ａは、ＵＥカテゴリとして所定のレベルよりも高いＵＥカテゴリを選択する。また、一定時間当たりの通信量が所定の閾値未満である場合に、通信制御部１０３Ａは、ＵＥカテゴリとして所定のレベルよりも低いＵＥカテゴリを選択する。
【００２０】
さらに具体的には、通信量（通信速度）が所定の閾値以上である場合に、通信制御部１０３Ａは、モバイルルータ１００の現在のＵＥカテゴリのレベルを確認し、現在のＵＥカテゴリが所定のレベル以下である場合、ＵＥカテゴリとして所定のレベルよりも高いＵＥカテゴリを選択する。
また、通信量（通信速度）が所定の閾値未満である場合に、通信制御部１０３Ａは、モバイルルータ１００の現在のＵＥカテゴリのレベルを確認し、現在のＵＥカテゴリが所定のレベルより大きい場合、ＵＥカテゴリとして所定のレベルよりも低いＵＥカテゴリを選択する。
【００２１】
ＬＡＮ側無線制御部１０４は、Ｗｉ−Ｆｉ通信部１０４Ａを備える。
Ｗｉ−Ｆｉ通信部１０４Ａは、モバイルルータ１００と端末装置２００との間のＷｉ−Ｆｉ通信を制御する。
また、Ｗｉ−Ｆｉ通信部１０４Ａは、モバイルルータ１００と端末装置２００との間の通信量（通信速度）に関する情報を通信制御部１０３Ａに入力する。
【００２２】
次に、図３を参照しながら、本実施の形態に係る通信方法について説明する。
まず、ユーザによってモバイルルータ１００が起動されると（ステップＳ１）、モバイルルータ１００は、例えば、ＵＥカテゴリ１でインターネット３００との間でＬＴＥ通信を開始する（ステップＳ２）。ここで、ＵＥカテゴリ１とは、図４に示すように、インターネット３００からモバイルルータ１００への通信速度（下り方向）が１０Ｍｂｐｓであり、モバイルルータ１００からインターネット３００への通信速度（上り方向）が５Ｍｂｐｓであるカテゴリである。すなわち、ＵＥカテゴリ１とは、図４に示す表において通信速度が最も遅い通信速度を有するカテゴリである。なお、起動時にモバイルルータ１００がＬＴＥ通信を行う際のＵＥカテゴリは、ＵＥカテゴリ１に限定されるものではなく、例えば、ＵＥカテゴリ３等であってもよい。
【００２３】
次に、通信量監視部１０３Ｂは、通信制御部１０３Ａを介して、Ｗｉ−Ｆｉ通信部１０４Ａから入力されるモバイルルータ１００と端末装置２００との間の通信量（通信速度）の監視を開始する（ステップＳ３）。また、通信量監視部１０３Ｂは、一定時間当たりの通信量（通信速度）についての情報を通信制御部１０３Ａに入力する。そして、通信制御部１０３Ａは、一定時間当たりの通信量（通信速度）が所定の閾値以上か否かを判断する（ステップＳ４）。
【００２４】
ステップＳ４において、一定時間当たりの通信量（通信速度）が所定の閾値以上である場合（ステップＳ４；Ｙｅｓ）、通信制御部１０３Ａは、モバイルルータ１００における現在のＵＥカテゴリを確認し、現在のＵＥカテゴリが所定のレベル以下か否かを判断する（ステップＳ５）。ここで、所定のレベルを、例えば、図４に示す表のＵＥカテゴリ３とする。
【００２５】
ステップＳ５において、現在のＵＥカテゴリが所定のレベルより高い場合（ステップＳ５；Ｎｏ）、ステップＳ４の処理に戻る。
【００２６】
ステップＳ５において、現在のＵＥカテゴリが所定のレベル以下である場合（ステップＳ５；Ｙｅｓ）、通信制御部１０３Ａは、ＬＴＥ通信を停止する命令信号をＬＴＥ通信部１０２Ａに入力し、ＬＴＥ通信部１０２Ａは、インターネット３００とモバイルルータ１００との間のＬＴＥ通信を停止する（ステップＳ６）。
【００２７】
次いで、通信制御部１０３Ａは、ＵＥカテゴリとして所定のレベルよりも高いＵＥカテゴリ（例えば、ＵＥカテゴリ４）を選択し、選択したＵＥカテゴリに関する情報を制御信号として、ＷＡＮ側無線制御部１０２のＵＥカテゴリ切り替え部１０２Ｂに入力する。次いで、ＵＥカテゴリ切り替え部１０２Ｂは、通信制御部１０３Ａから入力された制御信号に従って、ＵＥカテゴリを切り替える。次いで、ＬＴＥ通信部１０２Ａは、ＵＥカテゴリ切り替え部１０２Ｂによって切り替えられたＵＥカテゴリに定められた通信量（通信速度）を満たすように、アンテナ１０１を制御して、モバイルルータ１００とインターネット３００との間のＬＴＥ通信を開始する（ステップＳ７）。
【００２８】
ステップＳ４において、一定時間当たりの通信量（通信速度）が所定の閾値未満である場合（ステップＳ４；Ｎｏ）、通信制御部１０３Ａは、モバイルルータ１００における現在のＵＥカテゴリを確認し、現在のＵＥカテゴリが所定のレベル以下か否かを判断する（ステップＳ８）。
【００２９】
ステップＳ８において、現在のＵＥカテゴリが所定のレベル以下である場合（ステップＳ８；Ｙｅｓ）、ステップＳ４の処理に戻る。
【００３０】
ステップＳ８において、現在のＵＥカテゴリが所定のレベルより大きい場合（ステップＳ８；Ｎｏ）、通信制御部１０３Ａは、ＬＴＥ通信を停止する命令信号をＬＴＥ通信部１０２Ａに入力し、ＬＴＥ通信部１０２Ａは、インターネット３００とモバイルルータ１００との間のＬＴＥ通信を停止する（ステップＳ９）。
【００３１】
次いで、通信制御部１０３Ａは、ＵＥカテゴリとして所定のレベルよりも低いＵＥカテゴリ（例えば、ＵＥカテゴリ１）を選択し、選択したＵＥカテゴリに関する情報を制御信号として、ＷＡＮ側無線制御部１０２のＵＥカテゴリ切り替え部１０２Ｂに入力する。次いで、ＵＥカテゴリ切り替え部１０２Ｂは、通信制御部１０３Ａから入力された制御信号に従って、ＵＥカテゴリを切り替える。次いで、ＬＴＥ通信部１０２Ａは、ＵＥカテゴリ切り替え部１０２Ｂによって切り替えられたＵＥカテゴリに定められた通信量（通信速度）を満たすように、アンテナ１０１を制御して、モバイルルータ１００とインターネット３００との間のＬＴＥ通信を開始する（ステップＳ１０）。
【００３２】
以上に説明した実施の形態１に係るモバイルルータ１００、通信システム４００、通信方法、及びプログラムによれば、通信量監視部１０３Ｂによって監視された一定時間当たりの通信量が所定の閾値以上である場合に、モバイルルータ１００におけるＵＥカテゴリとして所定のレベルよりも高いＵＥカテゴリが選択される。すなわち、図５に示すように、一定時間当たりの通信量が所定の閾値以上となった場合、ＵＥカテゴリが高くなり、通信速度が速くなるため、通信量に比べて通信速度が遅いという不便をユーザが感じずに済む。一方、通信量監視部１０３Ｂによって監視された一定時間当たりの通信量が所定の閾値未満である場合に、モバイルルータ１００におけるＵＥカテゴリとして所定のレベルよりも低いＵＥカテゴリが選択される。すなわち、図５に示すように、一定時間当たりの通信量が所定の閾値未満となった場合、ＵＥカテゴリが低くなり、消費電力を押えることができる。これにより、消費電力を低減することができるモバイルルータ１００、通信システム４００、通信方法、及び、プログラムを提供することができる。
【００３３】
また、通信制御部１０３Ａは、モバイルルータ１００の現在のＵＥカテゴリを確認してから、ＵＥカテゴリの選択を行うため、ＵＥカテゴリを不必要に下げたり、上げたりせずに済む。
【００３４】
また、上記所定の閾値と上記所定のレベルとを、端末装置２００の通信履歴等に基づいて、適宜設定することにより、ユーザにとって十分な通信速度を確保しながら、モバイルルータ１００の消費電力を低減することができる。
【００３５】
なお、本発明は上記実施の形態に限られたものではなく、趣旨を逸脱しない範囲で適宜変更することが可能である。例えば、モバイルルータ１００は、さらに、当該モバイルルータ１００内の温度を検出する温度センサを備えてもよい。そして、一定時間当たりの通信量（通信速度）が所定の閾値以上である場合であっても、モバイルルータ１００内の温度が所定の温度より高い場合には、通信制御部１０３Ａは、ＵＥカテゴリとして所定のレベルよりも高いＵＥカテゴリを選択せず、現在のＵＥカテゴリのままとしてもよい。これにより、モバイルルータ１００内部の温度が高い場合にＵＥカテゴリを上げると、処理負荷が上がってしまい、通信速度が上がらず消費電力の低減に繋がらないという不利益を回避することができる。
【００３６】
また、上述の実施の形態では、本発明をハードウェアの構成として説明したが、本発明は、これに限定されるものではない。本発明は、図３のフローチャートに記載の処理手順を、ＣＰＵ（Ｃｅｎｔｒａｌ  Ｐｒｏｃｅｓｓｉｎｇ  Ｕｎｉｔ）にコンピュータプログラムを実行させることにより実現することも可能である。
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００３７】
１００  モバイルルータ（中継装置）
１０１  アンテナ
１０２  ＷＡＮ側無線制御部
１０２Ａ  ＬＴＥ通信部
１０２Ｂ  ＵＥカテゴリ切り替え部
１０３  システム制御部
１０３Ａ  通信制御部（選択部）
１０３Ｂ  通信量監視部
１０４  ＬＡＮ側無線制御部
１０４Ａ  Ｗｉ−Ｆｉ通信部
２００  端末装置
３００  インターネット
４００  通信システム
【図１】
2020136718.tif 000003
【図２】
2020136718.tif 000004
【図３】
2020136718.tif 000005
【図４】
2020136718.tif 000006
【図５】
2020136718.tif 000007